(57)【要約】【課題】写真用語を知らない初心者でも、容易に撮影条件を設定できるようにする。【解決手段】撮影モードが全自動モードの場合に、背景をぼかした画像とするか、背景を鮮明にした画像とするか「背景の見せ方」、明るい画像とするか、暗い画像とするか「明るさ」を入力することができる。撮像装置は、「背景の見せ方」の設定内容に応じて、プログラム線図の絞り値とシャープネスを設定し、「明るさ」の設定内容に応じて、露出補正量及びコントラストを設定する。【選択図】図１２
2010093459.tif 000002
【特許請求の範囲】
【請求項１】
撮影条件を決める複数の項目に対する設定内容を設定する第１の設定手段と、
撮影条件を変えることによって得られる効果を入力する効果入力手段と、
前記効果入力手段による入力に基づいて、前記複数の項目に対する設定内容を設定する第２の設定手段とを備え、
前記第１の設定手段による設定内容に基づいて撮影を行う第１の動作モードと、前記第２の設定手段の設定内容に基づいて撮影を行う第２の動作モードとを有することを特徴とする撮像装置。
【請求項２】
前記撮影条件を決める複数の項目は、シャッター速度、絞り値、露出補正量、コントラスト、シャープネスのうち少なくともいずれかを含むことを特徴とする請求項１に記載の撮像装置。
【請求項３】
前記効果入力手段では、背景をぼかした画像とするか、背景を鮮明にした画像とするかを入力でき、
前記第２の設定手段では、前記効果入力手段による入力に基づいて、絞り値及びシャープネスを設定することを特徴とする請求項１に記載の撮像装置。
【請求項４】
前記効果入力手段では、明るい画像とするか、暗い画像とするかを入力でき、
前記第２の設定手段では、前記効果入力手段による入力に基づいて、露出補正量及びコントラストを設定することを特徴とする請求項１に記載の撮像装置。
【請求項５】
撮影条件を変えることによって得られる効果の入力を受け付ける手順と、
前記入力された効果に基づいて、撮影条件を決める複数の項目に対する設定内容を設定する手順と、
前記設定された設定内容に基づいて撮影を行う手順とを有することを特徴とする撮像装置の制御方法。
【請求項６】
撮像装置を制御するためのプログラムであって、
撮影条件を変えることによって得られる効果の入力を受け付ける処理と、
前記入力された効果に基づいて、撮影条件を決める複数の項目に対する設定内容を設定する処理と、
前記設定された設定内容に基づいて撮影を行う処理とをコンピュータに実行させるためのプログラム。
【発明の詳細な説明】
【技術分野】
【０００１】
本発明は、各種設定操作を分かりやすく扱えるようにしたデジタルカメラ等の撮像装置、その制御方法及びプログラムに関する。
【背景技術】
【０００２】
現在、デジタルカメラが市場に普及している。その中で、シャッター速度、絞り値、露出補正等、撮影条件をいろいろと変えて撮影することができるカメラも多い。
【０００３】
この種のデジタルカメラに関して、特許文献１には、複数の撮影モードの中から、現在の日時や、取り込まれている画像の明るさ等の条件に応じて、所定の数の撮影モードを選択・表示する機能を有するカメラが開示されている。
【０００４】
【特許文献１】特開２００７−８８６６２号公報
【発明の開示】
【発明が解決しようとする課題】
【０００５】
しかしながら、写真用語を知らない初心者においては、シャッター速度、絞り値、露出補正等の撮影条件を変えて撮影することは困難なことであり、自分好みの撮りたい写真が撮れるようになるまでには、相当な時間と経験を要する。
【０００６】
本発明は以上のような状況に鑑みてなされたものであり、写真用語を知らない初心者でも、容易に撮影条件を設定できるようにすることを目的とする。
【課題を解決するための手段】
【０００７】
本発明の撮像装置は、撮影条件を決める複数の項目に対する設定内容を設定する第１の設定手段と、撮影条件を変えることによって得られる効果を入力する効果入力手段と、前記効果入力手段による入力に基づいて、前記複数の項目に対する設定内容を設定する第２の設定手段とを備え、前記第１の設定手段による設定内容に基づいて撮影を行う第１の動作モードと、前記第２の設定手段の設定内容に基づいて撮影を行う第２の動作モードとを有することを特徴とする。
本発明の撮像装置の制御方法は、撮影条件を変えることによって得られる効果の入力を受け付ける手順と、前記入力された効果に基づいて、撮影条件を決める複数の項目に対する設定内容を設定する手順と、前記設定された設定内容に基づいて撮影を行う手順とを有することを特徴とする。
本発明のプログラムは、撮像装置を制御するためのプログラムであって、撮影条件を変えることによって得られる効果の入力を受け付ける処理と、前記入力された効果に基づいて、撮影条件を決める複数の項目に対する設定内容を設定する処理と、前記設定された設定内容に基づいて撮影を行う処理とをコンピュータに実行させる。
【発明の効果】
【０００８】
本発明によれば、シャッター速度や絞り値等、写真用語を知らない初心者でも、出来上がりの写真の効果をイメージして入力することで、容易に撮影条件を設定することができるようになる。
【発明を実施するための最良の形態】
【０００９】
以下、添付図面を参照して、本発明の好適な実施形態について説明する。
（第１の実施形態）
図１は、本発明の好適な実施形態に係る画像処理装置の構成を示す図である。画像処理装置１００は電子カメラとしての機能を有する。１０は撮影レンズである。１２は絞り機能を備えるシャッターである。１４は光学像を電気信号に変換する撮像素子である。１６は撮像素子１４のアナログ信号出力をデジタル信号に変換するＡ／Ｄ変換器である。
【００１０】
１８はタイミング発生回路であり、撮像素子１４、Ａ／Ｄ変換器１６、Ｄ／Ａ変換器２６にクロック信号や制御信号を供給する。タイミング発生回路１８は、メモリ制御回路２２及びシステム制御回路５０により制御される。
【００１１】
２０は画像処理回路であり、Ａ／Ｄ変換器１６からのデータ或いはメモリ制御回路２２からのデータに対して所定の画素補間処理や色変換処理を行う。また、画像処理回路２０では、撮像に係る画像データを用いて所定の演算処理を行って、その演算結果をシステム制御回路５０に供給する。システム制御回路５０は、その演算結果に基づいて、露光制御部４０、測距制御部４２を制御して、ＴＴＬ（スルー・ザ・レンズ）方式のＡＦ（オートフォーカス）処理、ＡＥ（自動露出）処理、ＥＦ（フラッシュプリ発光）処理を実現する。さらに、画像処理回路２０では、撮像に係る画像データを用いてＴＴＬ方式のＡＷＢ（オートホワイトバランス）処理も行う。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力されるデータは、画像処理回路２０を介してメモリ制御回路２２に供給され、或いは直接メモリ制御回路２２に供給され、これにより画像表示メモリ２４或いはメモリ３０に書き込まれる。
【００１３】
２４は画像表示メモリである。２６はＤ／Ａ変換器である。２８はＴＦＴ ＬＣＤ等からなる画像表示部である。画像表示メモリ２４に書き込まれた表示用の画像データはＤ／Ａ変換器２６を介して画像表示部２８に供給され、これにより画像表示部２８に画像が表示される。画像表示部２８に撮像に係る画像を逐次表示することにより、電子ファインダ機能を実現することができる。また、画像表示部２８を用いて、再生表示機能、各種表示機能を利用することができる。
【００１４】
３０は撮影した静止画像や動画像を格納するためのメモリであり、所定枚数の静止画像や所定時間の動画像のデータを格納するのに十分な記憶量を備える。このメモリ３０を利用することにより、複数枚の静止画像を連続して撮影する連写撮影やパノラマ撮影の場合においても、高速に大量の画像を保存することができる。また、メモリ３０はシステム制御回路５０の作業領域としても利用され得る。
【００１５】
３２は圧縮・伸長回路であり、適応離散コサイン変換（ＡＤＣＴ）等により画像データを圧縮し又は伸長する。圧縮・伸長回路３２は、メモリ３０に格納された画像を読み込んで圧縮処理或いは伸長処理を行い、処理を終えたデータをメモリ３０に書き込む。
【００１６】
４０は絞り機能を備えるシャッター１２を制御する露光制御部であり、フラッシュ装置４００と連携してフラッシュ調光を行うこともできる。４２は撮影レンズ１０のフォーカシングを制御する測距制御部である。露光制御部４０及び測距制御部４２は、撮像に係る画像データを画像処理回路２０が演算した演算結果に基づいて、システム制御回路５０によって制御される。これにより、ＴＴＬ方式の露光制御及び測距制御が実現される。
【００１７】
４４は撮影レンズ１０のズーミングを制御するズーム制御部である。４６はバリア（保護部）１０２の動作を制御するバリア制御部である。４８はコネクタであり、アクセサリシューとも呼ばれる。このコネクタ４８には、フラッシュ装置４００との電気接点や機械的な固定手段が含まれる。
【００１８】
５０は画像処理装置１００全体を制御するシステム制御回路である。５２はシステム制御回路５０の動作用の定数、変数、プログラム等を記憶するメモリである。
【００１９】
５４は出力部であり、システム制御回路５０によるプログラムの実行に応じて、文字、画像、音声等を用いて動作状態やメッセージ等を表示する液晶表示装置やスピーカー等を含む。出力部５４は、画像処理装置１００の操作部近辺の視認し易い位置に単数或いは複数個所設置され、例えばＬＣＤやＬＥＤ、発音素子等の組み合わせにより構成される。また、出力部５４は、その一部が光学ファインダ１０４内に設置される。
【００２０】
出力部５４の表示内容のうち、ＬＣＤ等で表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示等がある。
【００２１】
また、出力部５４の表示内容のうち、光学ファインダ１０４内に表示するものとしては、合焦表示、手振れ警告表示、フラッシュ充電表示、シャッタースピード表示、絞り値表示、露出補正表示等がある。
【００２２】
５６は電気的に消去・記録可能な不揮発性メモリであり、例えばＥＥＰＲＯＭ等で構成される。
【００２３】
６０、６２、６４、７０〜７６は、システム制御回路５０の各種の動作指示を入力するための操作手段であり、例えばスイッチやダイアル、タッチパネル、視線検知によるポインティング、音声認識装置等の単数或いは複数の組み合わせで構成され得る。
【００２４】
より具体的には、６０はモードダイアルであり、これにより撮影モードを設定できる。また、モードダイアル６０は、カメラを不作動にするＯＦＦポジション、プログラムＡＥモード、全自動モードを持っている。
【００２５】
６２はシャッタースイッチＳＷ１であり、不図示のシャッターボタンの操作途中（半押し）でＯＮとなり、ＡＦ処理、ＡＥ処理、ＡＷＢ処理、ＥＦ処理等の動作開始を指示する。また、６４はシャッタースイッチＳＷ２であり、シャッターボタンの操作完了（全押し）でＯＮとなり、露光処理、現像処理、記録処理という一連の処理の動作開始を指示する。露光処理では、撮像素子１４から読み出した信号をＡ／Ｄ変換器１６、メモリ制御回路２２を介してメモリ３０に画像データを書き込む。また、現像処理は、画像処理回路２０やメモリ制御回路２２での演算を用いて行われる。また、記録処理では、メモリ３０から画像データを読み出し、圧縮・伸長回路３２で圧縮を行い、記録媒体２００に画像データを書き込む。
【００２６】
７０は露出補正釦であり、押下することにより、露出補正の設定操作を行うことができる。７１はコントラスト釦であり、押下することにより、コントラストの設定を行うことができる。７２はシャープネス釦であり、押下することにより、シャープネスの設定を行うことができる。
【００２７】
７３はセレクト釦であり、全自動モードにおける設定操作を行う際に使用する。７４は−釦、７５は＋釦であり、これらにより設定値の変更を行う際に使用する。７６はセット釦であり、全自動モードにおける設定操作を行う際に使用する。
【００２８】
また、システム制御回路５０の各種の動作指示を入力するための操作手段については、マクロボタン、フラッシュ設定ボタン等が含まれる。
【００２９】
８０は電源制御部であり、電池検出回路、ＤＣ−ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３０】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源部である。
【００３１】
９０は記録媒体２００と接続するためのインタフェース、９２は記録媒体２００と接続するためのコネクタである。９８はコネクタ９２に記録媒体２００が装着されているか否かを検知する着脱検知部である。２００は着脱可能なＣＦ（コンパクトフラッシュ（登録商標））カード等の記録媒体である。
【００３２】
１０２は画像処理装置１００の撮影レンズ１０を含む撮像部を覆うことにより、該撮像部の汚れや破損を防止するバリア（保護部）である。
【００３３】
１０４は光学ファインダである。この光学ファインダ１０４を利用することにより、画像表示部２８によって構成される電子ファインダ機能を利用することなく、撮影を行うことができる。また、光学ファインダ１０４内には、出力部５４の一部、例えば、合焦表示、手振れ警告表示、フラッシュ充電表示、シャッタースピード表示、絞り値表示、露出補正表示を行うための素子が配置されている。
【００３４】
４００はフラッシュ装置である。４０２はフラッシュ装置４００を画像処理装置１００のアクセサリシューと接続するためのコネクタである。４０４は発光部であり、ＡＦ補助光の投光機能、フラッシュ調光機能も有する。
【００３５】
次に、図２、図３を参照して、画像処理装置１００の主ルーチンの動作を説明する。電池交換に伴う電源投入等に従って、ステップＳ１０１で、システム制御回路５０は、フラグや制御変数等を初期化する。ステップＳ１０１において、露出補正量は０、コントラストはＬＶＬ０、シャープネスはＬＶＬ４、『背景の見せ方』はＬＶＬ３、『明るさ』はＬＶＬ３に初期化される。
【００３６】
ステップＳ１０２で、システム制御回路５０は、モードダイアル６０の設定位置を判断する。モードダイアル６０が「ＯＦＦ」に設定されている場合はステップＳ１０３に進み、モードダイアル６０が「ＯＦＦ」以外に設定されている場合はステップＳ１０４に進む。
【００３７】
ステップＳ１０３で、システム制御回路５０は、所定の終了処理を行い、ステップＳ１０２に戻る。終了処理には、各表示部の表示を終了状態に変更し、バリア（保護部）１０２を閉じて撮像部を保護し、フラグや制御変数等を含む必要なパラメータや設定値、設定モードを不揮発性メモリ５６に記録し、電源制御部８０により画像表示部２８を含む画像処理装置１００各部の不要な電源を遮断する等が含まれる。
【００３８】
ステップＳ１０４で、システム制御回路５０は、モードダイアル６０の設定位置を判断する。モードダイアル６０が「プログラムＡＥモード（本発明でいう第１の動作モード）」に設定されている場合はステップＳ１０５に進む。モードダイアル６０が「全自動モード（本発明でいう第２の動作モード）」に設定されている場合はステップＳ１２０に進む。
【００３９】
ステップＳ１０５で、システム制御回路５０は、露出補正釦７０の状態を確認する。そして、露出補正釦７０が押下されている場合はステップＳ１０６に進み、露出補正釦７０が押下されていない場合はステップＳ１０７に進む。ステップＳ１０６で、システム制御回路５０は、露出補正設定処理を行う。この処理が本発明でいう第１の設定手段による処理の一部である。この露出補正設定処理（ステップＳ１０６）の詳細は図９を用いて後述するが、ここでは露出補正量の変更操作が行われ、処理が終了するとステップＳ１０２に戻る。
【００４０】
ステップＳ１０７で、システム制御回路５０は、コントラスト釦７１の状態を確認する。そして、コントラスト釦７１が押下されている場合はステップＳ１０８に進み、コントラスト釦７１が押下されていない場合はステップＳ１０９に進む。ステップＳ１０８で、システム制御回路５０は、コントラスト設定処理を行う。この処理が本発明でいう第１の設定手段による処理の一部である。このコントラスト設定処理（ステップＳ１０８）の詳細は図１０を用いて後述するが、ここではコントラストの変更操作が行われ、処理が終了するとステップＳ１０２に戻る。
【００４１】
ステップＳ１０９で、システム制御回路５０は、シャープネス釦７２の状態を確認する。そして、シャープネス釦７２が押下されている場合はステップＳ１１０に進み、シャープネス釦７２が押下されていない場合はステップＳ１１１に進む。ステップＳ１１０で、システム制御回路５０は、シャープネス設定処理を行う。この処理が本発明でいう第１の設定手段による処理の一部である。このシャープネス設定処理（ステップＳ１１０）の詳細は図１１を用いて後述するが、ここではシャープネスの変更操作が行われ、処理が終了するとステップＳ１０２に戻る。
【００４２】
ステップＳ１２０で、システム制御回路５０は、セレクト釦７３の状態を確認する。そして、セレクト釦７３が押下されている場合はステップＳ１２１に進み、セレクト釦７３が押下されていない場合はステップＳ１１１に進む。ステップＳ１２１で、システム制御回路５０は、撮影条件を変えることによって得られる効果の入力を受け付けるお好み設定処理を行う。このお好み設定処理（ステップＳ１２１）の詳細は図１２を用いて後述する。ここでは全自動モードにおける設定操作として、ユーザは『背景の見せ方』及び『明るさ』の設定を行うことができ、処理が終了するとステップＳ１０２に戻る。
【００４３】
ステップＳ１１１で、システム制御回路５０は、画像表示部２８を利用して画像処理装置１００の各種設定状態の表示を行う。表示例を図８に示す。図８（ａ）は撮影モードが「プログラムＡＥモード」の場合、図８（ｂ）は撮影モードが「全自動モード」の場合の表示例である。そして、ステップＳ１１２に進む。
【００４４】
ステップＳ１１２で、システム制御回路５０は、シャッタースイッチＳＷ１の状態を確認する。シャッタースイッチＳＷ１がＯＦＦである場合はステップＳ１０２に戻る。一方、シャッタースイッチＳＷ１がＯＮである場合はステップＳ１５０（図３を参照）に進む。
【００４５】
ステップＳ１５０で、システム制御回路５０は、測距処理を行い、撮影レンズ１０の焦点を被写体までの距離に応じて調整するとともに、測光処理を行い、絞り値及びシャッター時間を決定する。測光処理では、必要であればフラッシュの設定も行う。この測距・測光処理（ステップＳ１５０）の詳細は図４を用いて後述する。
【００４６】
ステップＳ１５１で、システム制御回路５０は、画像表示部２８を利用して画像処理装置１００の各種設定状態の表示を行う。表示例を図１３に示す。図１３（ａ）は撮影モードが「プログラムＡＥモード」の場合、図１３（ｂ）は撮影モードが「全自動モード」の場合の表示例である。そして、ステップＳ１５２に進む。
【００４７】
ステップＳ１５２で、システム制御回路５０は、シャッタースイッチＳＷ１の状態を確認するシャッタースイッチＳＷ１がＯＦＦ状態であれば、ステップＳ１０２に戻る。シャッタースイッチＳＷ１がＯＮ状態であれば、ステップＳ１５３で、更にシャッタースイッチＳＷ２の状態を確認する。シャッタースイッチＳＷ２がＯＦＦ状態であれば、ステップＳ１５０に戻り、シャッタースイッチＳＷ２がＯＮ状態であれば、ステップＳ１５４に進む。
【００４８】
ステップＳ１５４で、システム制御回路５０は、露光処理を含む撮影処理を実行する。露光処理では、撮像素子１４による撮像に係る画像データを、Ａ／Ｄ変換器１６、画像処理回路２０及びメモリ制御回路２２を介して、或いはＡ／Ｄ変換器及びメモリ制御回路２２を介して、メモリ３０に書き込む。この撮影処理（ステップＳ１５４）の詳細は図５を用いて後述する。
【００４９】
ステップＳ１５５で、システム制御回路５０は、シャッター１２を閉じた状態で撮像素子１４の暗電流等のノイズ成分を本撮影と同じ時間蓄積し、蓄積を終えたノイズ画像信号を読み出すダーク取り込み処理を行い、ステップＳ１５６に進む。このダーク取り込み処理で取り込んだダーク画像データを用いて補正演算処理を行うことにより、撮像素子１４の発生する暗電流ノイズや撮像素子１４固有のキズによる画素欠損等の画質劣化を低減することができる。このダーク取り込み処理（ステップＳ１５５）の詳細は図６を用いて後述する。
【００５０】
ステップＳ１５６で、システム制御回路５０は、メモリ３０の所定領域へ書き込まれた画像データの一部をメモリ制御回路２２を介して読み出す。そして、現像処理を行うために必要なＷＢ（ホワイトバランス）積分演算処理、ＯＢ（オプティカルブラック）積分演算処理を行い、その演算結果をシステム制御回路５０の内部メモリ或いはメモリ５２に記憶する。また、システム制御回路５０は、メモリ制御回路２２、及び必要に応じて画像処理回路２０を用いて、メモリ３０の所定領域に書き込まれた撮影画像データを読み出す。そして、システム制御回路５０の内部メモリ或いはメモリ５２に記憶した演算結果を用いて、ＡＷＢ（オートホワイトバランス）処理、ガンマ変換処理、色変換処理を含む各種現像処理を行う。さらに、現像処理においては、ダーク取り込み処理において取り込んだダーク画像データを用いて減算処理を行うことにより、撮像素子１４の暗電流ノイズ等を打ち消すダーク補正演算処理も併せて行う。この現像処理（ステップＳ１５６）の詳細は図７を用いて後述する。
【００５１】
ステップＳ１５７で、システム制御回路５０は、メモリ３０の所定領域に書き込まれた画像データを読み出す。そして、設定されたモードに応じた画像圧縮処理を圧縮・伸長回路３２により行い、その圧縮した画像データをメモリ３０の画像記憶バッファ領域の空き画像部分に書込む。そして、ステップＳ１０２に戻る。
【００５２】
図４は、図３のステップＳ１５０における測距・測光処理の詳細を示すフローチャートである。ステップＳ２０１で、システム制御回路５０は、撮像素子１４から電荷信号を読み出し、Ａ／Ｄ変換器１６を介して画像データとして画像処理回路２０に逐次読み込む。この逐次読み込まれた画像データを用いて、画像処理回路２０はＴＴＬ方式のＡＥ処理、ＥＦ処理、ＡＦ処理に用いる所定の演算を行う。
【００５３】
なお、上記の各処理では、撮影した全画素数のうちの必要な部分を切り取るようにして抽出して演算に用いる。これにより、ＴＴＬ方式のＡＥ、ＥＦ、ＡＷＢ、ＡＦの各処理において、中央重点モード、平均モード、評価モードの各モードに適合した最適な演算を行うことできる。
【００５４】
また、ＡＥ処理においては、撮影モードが「プログラムＡＥモード」の場合はステップＳ１０６にて設定された露出補正量が加味される。また、撮影モードが「全自動モード」の場合はステップＳ１２１（「明るさ設定」）にて設定された露出補正量が加味される。
【００５５】
また、ＡＥ処理においては、撮影モードが「プログラムＡＥモード」の場合は標準のプログラム線図にてシャッター速度と絞り値の組み合わせを算出する。また、撮影モードが「全自動モード」の場合はステップＳ１２１（「明るさ設定」）にて設定されたプログラム線図にてシャッター速度と絞り値の組み合わせを算出する。
【００５６】
ステップＳ２０２で、システム制御回路５０は、画像処理回路２０での演算結果に基づいて、露出（ＡＥ）が適正であるか否かを判断する。その結果、露出が適正でなければ、ステップＳ２０３に進み、露光制御部４０にＡＥ制御を実行させる。露出が適正であれば、測定データ及び／或いは設定パラメータをシステム制御回路５０の内部メモリ或いはメモリ５２に記憶する。
【００５７】
ステップＳ２０４で、システム制御回路５０は、ＡＥ制御で得られた測定データを用いて、フラッシュの発光が必要か否かを判断する。その結果、フラッシュの発光が必要であれば、ステップＳ２０５で、フラッシュ・フラグをセットしフラッシュ装置４００を充電する。
【００５８】
ステップＳ２０６で、システム制御回路５０は、画像処理回路２０での演算結果及びＡＥ制御で得られた測定データを用いて、ホワイトバランス（ＡＷＢ）が適正であるか否かを判断する。その結果、ホワイトバランスが適正でなければ、ステップＳ２０７に進み、画像処理回路２０に色処理のパラメータを調節するＡＷＢ制御を実行させる。ホワイトバランスが適正であれば、測定データ及び／或いは設定パラメータをシステム制御回路５０の内部メモリ或いはメモリ５２に記憶する。
【００５９】
ステップＳ２０８で、システム制御回路５０は、ＡＥ制御及びＡＷＢ制御で得られた測定データを用いて、測距（ＡＦ）の結果が合焦であるか否かを判断する。その結果、合焦状態でなければ、ステップＳ２０９に進み、測距制御部４２にＡＦ制御を実行させる。合焦状態であれば、測定データ及び／或いは設定パラメータをシステム制御回路５０の内部メモリ或いはメモリ５２に記憶し、測距・測光処理ルーチン（ステップＳ１５０）を終了する。
【００６０】
図５は、図３のステップＳ１５４における撮影処理の詳細を示すフローチャートである。ステップＳ３０１で、システム制御回路５０は、撮像素子１４の電荷クリア動作を行う。ステップＳ３０２で、撮像素子１４の電荷蓄積を開始する。ステップＳ３０３で、露光制御部４０によってシャッター１２を開き、ステップＳ３０４で、撮像素子１４の露光を開始する。
【００６１】
ステップＳ３０５で、システム制御回路５０は、フラッシュ・フラグを参照してフラッシュが必要であるか否かを判断し、必要である場合はステップＳ３０６に進んで、フラッシュ装置４００を発光させる。なお、フラッシュが必要出ない場合はステップＳ３０７に進む。
【００６２】
ステップＳ３０７で、システム制御回路５０は、測光データに従った撮像素子１４の露光終了を待ち、その後、ステップＳ３０８で、露光制御部４０によってシャッター１２を閉じて、撮像素子１４の露光を終了する。
【００６３】
ステップＳ３０９で、システム制御回路５０は、設定された電荷蓄積時間が経過するのを待ち、その後、ステップＳ３１０で、撮像素子１４による電荷蓄積を終了させる。
【００６４】
そして、ステップＳ３１１で、撮像素子１４から電荷信号を読み出し、Ａ／Ｄ変換器１６、画像処理回路２０、メモリ制御回路２２を介して、或いはＡ／Ｄ変換器１６及びメモリ制御回路２２を介して、撮影画像データとしてメモリ３０の所定領域に書き込む。一連の処理を終えたならば、撮影処理ルーチン（ステップＳ１５４）を終了する。
【００６５】
図６は、図３のステップＳ１５５におけるダーク取り込み処理の詳細を示すフローチャートである。ステップＳ４０１で、システム制御回路５０は、撮像素子１４の電荷クリア動作を行った後に、ステップＳ４０２で、シャッター１２が閉じた状態で、撮像素子１４の電荷蓄積を開始する。
【００６６】
ステップＳ４０３で、システム制御回路５０は、設定された所定の電荷蓄積時間が経過するのを待ち、その後、ステップＳ４０４で、撮像素子１４の電荷蓄積を終了させる。そして、ステップＳ４０５で、撮像素子１４から電荷信号を読み出し、Ａ／Ｄ変換器１６、画像処理回路２０、メモリ制御回路２２を介して、或いはＡ／Ｄ変換器１６及びメモリ制御回路２２を介して、ダーク画像データとしてメモリ３０の所定領域に書き込む。一速の処理を終えたならば、ダーク取り込み処理ルーチン（ステップＳ１５５）を終了する。
【００６７】
このダーク取り込みデータを用いて現像処理を行うことにより、撮像素子１４の発生する暗電流ノイズや撮像素子１４固有のキズによる画素欠損等の画質劣化を低減することができる。なお、このダーク画像データは、新たにダーク取り込み処理が行われるか、画像処理装置１００の電源がＯＦＦにされるまで、メモリ３０の所定領域に保持される。或いは、メモリ３０の一部或いは全部をＥＥＰＲＯＭやハードディスク等の不揮発性メモリで構成して、ダーク画像データを該不揮発性メモリに書き込む構成を採用することにより、新たにダーク取り込み処理が行われるまで、このダーク画像データ保存してもよい。
【００６８】
図７は、図３のステップＳ１５６における現像処理の詳細を示すフローチャートである。システム制御回路５０は、メモリ３０に書き込まれた撮影画像データ及びダーク画像データを読み出して、ステップＳ５０１で、輝度信号処理を行う。続いて、ステップＳ５０２で、色処理を施す。そして、ステップＳ５０３で、サムネイル画像処理を順次行った後、メモリ３０に処理を終えた画像データを書き込む。一連の処理を終えたならば、現像処理ルーチン（ステップＳ１５６）を終了する。
【００６９】
この現像処理においては、コントラストやシャープネスの設定内容が加味される。詳しくは、撮影モードが「プログラムＡＥモード」の場合は、ステップＳ１０８にて設定されたコントラストの設定内容と、ステップＳ１１０にて設定されたシャープネスの設定内容が加味される。また、撮影モードが「全自動モード」の場合は、ステップＳ１２１（「明るさ」設定）にて設定されたコントラストの設定内容と、ステップＳ１２１（「背景の見せ方」設定）にて設定されたシャープネスの設定内容が加味される。
【００７０】
図９（ａ）は、図２のステップＳ１０６における露出補正設定処理の詳細を示すフローチャートであり、図９（ｂ）は、そのときの表示例を示す図である。
【００７１】
ステップＳ６０１で、システム制御回路５０は、＋釦７５の状態を確認し、＋釦７５がＯＮの場合はステップＳ６０３に進み、＋釦７５がＯＦＦの場合はステップＳ６０２に進む。また、ステップＳ６０２で、システム制御回路５０は、−釦７４の状態を確認し、−釦７４がＯＮの場合はステップＳ６０４に進み、−釦７４がＯＦＦの場合はステップＳ６０５に進む。
【００７２】
ステップＳ６０３で、システム制御回路５０は、露出補正量の変更（増加）を行う。詳しくは、＋釦７５が押下されるたびに１／３段分、露出補正量を増加させる。なお、上限値は＋２段である。一方、ステップＳ６０４で、システム制御回路５０は、露出補正量の変更（減少）を行う。詳しくは、−釦７４が押下されるたびに１／３段分、露出補正量を減少させる。なお、下限値は−２段である。
【００７３】
ステップＳ６０５で、システム制御回路５０は、図９（ｂ）に示すように、画像表示部２８を利用して画像処理装置１００の表示を行う。そして、ステップＳ６０６で、システム制御回路５０は、露出補正釦７０の状態を確認し、露出補正釦７０が再押しされた場合はステップＳ６０７に進み、そうでない場合はステップＳ６０１に戻る。ステップＳ６０７で、システム制御回路５０は、露出補正設定処理を終了する。
【００７４】
図１０（ａ）は、図２のステップＳ１０８におけるコントラスト設定処理の詳細を示すフローチャートであり、図１０（ｂ）は、そのときの表示例を示す図である。コントラストとは、明るい部分と位部分の明暗差のことをいう。
【００７５】
ステップＳ６２１で、システム制御回路５０は、＋釦７５の状態を確認し、＋釦７５がオンの場合はステップＳ６２３に進み、＋釦７５がオフの場合は、ステップＳ６２２に進む。また、ステップＳ６２２で、システム制御回路５０は、−釦７４の状態を確認し、−釦７４がオンの場合はステップＳ６２４に進み、−釦７４がオフの場合はステップＳ６２５に進む。
【００７６】
ステップＳ６２３で、システム制御回路５０は、コントラストの変更（増加）を行う。詳しくは、＋釦７５が押下されるたびにＬＶＬ１分、コントラストを高くする。なお、上限値はＬＶＬ＋４である。一方、ステップＳ６２４で、システム制御回路５０は、コントラストの変更（減少）を行う。詳しくは、−釦７４が押下されるたびにＬＶＬ１分、コントラストを低くする。なお、下限値はＬＶＬ−４である。
【００７７】
ステップＳ６２５で、システム制御回路５０は、図１０（ｂ）に示すように、画像表示部２８を利用して画像処理装置１００の表示を行う。そして、ステップＳ６２６で、システム制御回路５０は、コントラスト釦７１の状態を確認し、コントラスト釦７１が再押しされた場合はステップＳ６２７に進み、そうでない場合はステップＳ６２１に戻る。ステップＳ６２７で、システム制御回路５０は、コントラスト設定処理を終了する。
【００７８】
図１１（ａ）は、図２のステップＳ１１０におけるシャープネス設定処理の詳細を示すフローチャートであり、図１（ｂ）は、そのときの表示例を示す図である。シャープネスとは、鮮鋭度の度合のことをいう。
【００７９】
ステップＳ６４１で、システム制御回路５０は、＋釦７５の状態を確認し、＋釦７５がオンの場合はステップＳ６４３に進み、＋釦７５がオフの場合はステップＳ６４２に進む。また、ステップＳ６４２で、システム制御回路５０は、−釦７４の状態を確認し、−釦７４がオンの場合はステップＳ６４４に進み、−釦７４がオフの場合はステップＳ６４５に進む。
【００８０】
ステップＳ６４３で、システム制御回路５０は、シャープネスの変更（増加）を行う。詳しくは、＋釦７５が押下されるたびにＬＶＬ１分、シャープネスを高くする。なお、上限値はＬＶＬ７である。一方、ステップＳ６４４で、システム制御回路５０は、シャープネスの変更（減少）を行う。詳しくは、−釦７４が押下されるたびにＬＶＬ１分、シャープネスを低くする。なお、下限値はＬＶＬ０である。
【００８１】
ステップＳ６４５で、システム制御回路５０は、図１１（ｂ）に示すように、画像表示部２８を利用して画像処理装置１００の表示を行う。そして、ステップＳ６４６で、システム制御回路５０は、シャープネス釦７２の状態を確認し、シャープネス釦７２が再押しされた場合はステップＳ６４７に進み、そうでない場合はステップＳ６４１に戻る。ステップＳ６４７で、システム制御回路５０は、シャープネス設定処理を終了する。
【００８２】
図１２は、図２のステップＳ１２１におけるお好み設定処理の詳細を説明するための図である。この処理が本発明でいう効果入力手段及び第２の設定手段による処理である。
【００８３】
画像表示部２８における表示７０１と表示７０２は、お好み設定処理において、設定する項目を選択している状態である。表示７０１は『背景の見せ方』が選択されている状態である。表示７０２は『明るさ』が選択されている状態である。
【００８４】
表示７０１の状態で、システム制御回路５０は、セレクト釦７３、−釦７４、＋釦７５、セット釦７６の状態を確認する。セレクト釦７３が押下されると、お好み設定処理を終了しリターンする。＋釦７５が押下されると、表示７０２に移行する。セット釦７６が押下されると、変更する項目を『背景の見せ方』に確定し、設定内容を変更できる状態とする（表示７１０）。
【００８５】
同様に、表示７０２の状態で、システム制御回路５０は、セレクト釦７３、−釦７４、＋釦７５、セット釦７６の状態を確認する。セレクト釦７３が押下されると、お好み設定処理を終了しリターンする。−釦７４が押下されると、表示７０１に移行する。セット釦７６が押下されると、変更する項目を『明るさ』に確定し、設定内容を変更できる状態とする（表示７１１）。
【００８６】
表示７１０では、『背景の見せ方』の設定内容を変更することができる。表示７１０の状態で、システム制御回路５０は、−釦７４、＋釦７５、セット釦７６の状態を確認する。−釦７４が押下されるたびに、設定内容を一段階（ＬＶＬ１）ずつ小さくしていく。また、＋釦７５が押下されるたびに、設定内容を一段階（ＬＶＬ１）ずつ大きくしていく。設定可能範囲は、ＬＶＬ１〜ＬＶＬ５である。セット釦７６が押下されると、内容を確定し、表示７０１に戻る。
【００８７】
表示７１１では、『明るさ』の設定内容を変更することができる。表示７１１の状態で、システム制御回路５０は、−釦７４、＋釦７５、セット釦７６の状態を確認する。−釦７４が押下されるたびに、設定内容を一段階（ＬＶＬ１）ずつ小さくしていく。また、＋釦７５が押下されるたびに、設定内容を一段階（ＬＶＬ１）ずつ大きくしていく。設定可能範囲は、ＬＶＬ１〜ＬＶＬ５である。セット釦７６が押下されると内容を確定し、表示７０２に戻る。
【００８８】
ここに、表１を参照して、『背景の見せ方』に関して説明する。『背景の見せ方』とは、主被写体の背後にある背景に関して、ピントをぼかした写真にするのか、背景も鮮明にした写真にするかを決めるものである。一般的には、絞り値が小さい場合は被写界深度が浅いため背景がぼける。また、絞り値が大きい場合は被写界深度が深いため背景もはっきり写る。また、デジタルカメラにおけるシャープネス設定、詳しくは、被写体の鮮鋭度の度合いを変えることにより、やわらかい感じにしたり、シャープな感じにしたりすることができる。
【００８９】
本実施形態では、絞り値とシャープネス設定を組み合わせて『背景の見せ方』を制御している。表１に示すように、ＬＶＬ１は背景をぼかすために、プログラム線図（シャッター速度と絞り値の組み合わせ）の絞り値を小さめ（明るめ）の値にして、シャープネス設定も軟らかめの設定にしている。反対に、ＬＶＬ５は背景を鮮明にさせるために、プログラム線図（シャッター速度と絞り値の組み合わせ）の絞り値を大きめ（暗め）の値にして、シャープネス設定もシャープな設定にしている。
【００９０】
【表１】
2010093459.tif 000003
【００９１】
ここに、表２を参照して、『明るさ』に関して説明する。『明るさ』とは、露出の具合である。一般的には、露出補正という機能があり、カメラが判断した適性露出に対して所定量分だけ補正を掛けるものである。また、デジタルカメラにおけるコントラスト設定、詳しくは、明るい部分と暗い部分の明暗差を変えることができる。
【００９２】
本実施形態では、露出補正量とコントラスト設定を組み合わせて『明るさ』を制御している。表２に示すとおり、ＬＶＬ１は暗くするために露出補正量を−２段に設定して、補正の掛けすぎで画像が暗くつぶれてしまうのを防ぐために、コントラストを高めに設定にしている。反対に、ＬＶＬ５は明るくするために露出補正量を＋２段に設定して、補正の掛けすぎで画像が飽和してしまうのを防ぐために、コントラストを低めに設定にしている。
【００９３】
【表２】
2010093459.tif 000004
【００９４】
以上述べたように、撮影モードが「プロセラムＡＥモード」の場合は、露出補正釦７０を押下すると露出補正量が設定でき（ステップＳ１０６）、コントラスト釦７１を押下するとコントラストが設定でき（ステップＳ１０８）、シャープネス釦７２を押下するとシャープネスが設定できる（ステップＳ１１０）。そして、ＡＥ処理において露出補正量が加味され（ステップＳ２０１）、現像処理においてコントラストとシャープネスが加味される。（ステップＳ１５６）。
【００９５】
また、撮影モードが「全自動モード」の場合は、セレクト釦７３を押下するとお好み設定ができる（ステップＳ１２１）。お好み設定において『背景の見せ方』の設定内容を設定すると、それに応じたプログラム線図とシャープネスが設定される。また、お好み設定において『明るさ』の設定内容を設定すると、それに応じた露出補正量とコントラストが設定される。そして、ＡＥ処理において露出補正量が加味され（ステップＳ２０１）、現像処理においてコントラストとシャープネスが加味される（ステップＳ１５６）。これにより、全自動モードにおいては、露出補正やコントラストやシャープネスといった写真用語を知らなくても、容易にカメラ設定ができるようになる。
【００９６】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００９７】
この場合、記憶媒体から読み出されたプログラムコード自体が上述した実施形態の機能を実現することになり、プログラムコード自体及びそのプログラムコードを記憶した記憶媒体は本発明を構成することになる。
【００９８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９９】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【０１００】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【０１０１】
【図１】本発明の実施形態に係る画像処理装置（電子カメラ）の構成を示すブロック図である。
【図２】本発明の実施形態に係る画像処理装置の主ルーチンの一部のフローチャートである。
【図３】本発明の実施形態に係る画像処理装置の主ルーチンの一部のフローチャートである。
【図４】測距・測光処理の詳細を示すフローチャートである。
【図５】撮影処理の詳細を示すフローチャートである。
【図６】ダーク取り込み処理の詳細を示すフローチャートである。
【図７】現像処理の詳細を示すフローチャートである。
【図８】本発明の実施形態に係る画像処理装置での各種設定状態の表示例を示す図である。
【図９】露出補正設定処理を説明するための図である。
【図１０】コントラスト設定処理を説明するための図である。
【図１１】シャープネス設定処理を説明するための図である。
【図１２】お好み設定処理を説明するための図である。
【図１３】本発明の実施形態に係る画像処理装置での各種設定状態の表示例を示す図である。
【符号の説明】
【０１０２】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  圧縮・伸長回路
４０  露光制御部
４２  測距制御部
４４  ズーム制御部
４６  バリア制御部
４８  コネクタ（アクセサリシュー）
５０  システム制御回路
５２  メモリ
５４  出力部
５６  不揮発性メモリ
６０  モードダイアルスイッチ
６２  シャッタースイッチＳＷ１
６４  シャッタースイッチＳＷ２
７０  露出補正釦
７１  コントラスト釦
７２  シャープネス釦
７３  セレクト釦
７４  −釦
７５  ＋釦
７６  セット釦
８０  電源制御部
８２  コネクタ
８４  コネクタ
８６  電源部
９０  インタフェース
９２  コネクタ
９８  着脱検知部
１００  画像処理装置
１０２  バリア（保護部）
１０４  光学ファインダ
２００  記録媒体
４００  フラッシュ装置
４０２  コネクタ
４０４  発光部
【図１】
2010093459.tif 000005
【図２】
2010093459.tif 000006
【図３】
2010093459.tif 000007
【図４】
2010093459.tif 000008
【図５】
2010093459.tif 000009
【図６】
2010093459.tif 000010
【図７】
2010093459.tif 000011
【図８】
2010093459.tif 000012
【図９】
2010093459.tif 000013
【図１０】
2010093459.tif 000014
【図１１】
2010093459.tif 000015
【図１２】
2010093459.tif 000016
【図１３】
2010093459.tif 000017